(57)【要約】【課題】作業性が良く不良品も発生し難い窯業用転写紙及びその転写紙を使用した窯業製品の製造方法を提供する。【解決手段】少なくとも表面が離型面である台紙４と、その離型面の上に形成された絵付け顔料による装飾層５と、窯業製品１の被装飾面１ｃに所定の温度で貼着し得る熱融着型接着剤で形成された装飾層５をカバーするカバーコート６と、を有する窯業用転写紙３を提供する。この窯業用転写紙３は、窯業製品１の被装飾面１ｃにカバーコート６を対向させて台紙４の上から加熱・加圧するのみで装飾層５を転写できるため、効率的に装飾的な窯業製品１を得ることができる。したがって少ない作業者で多くの窯業製品１を製造することができる。しかも窯業用転写紙３を水に浸す必要がないため、装飾層５に不純物が付着するおそれもなく、よって不良品の発生率を低く抑えることができる。【選択図】        図５
2018108905.tif 000002
【特許請求の範囲】
【請求項１】
少なくとも表面が離型面である台紙と、
その離型面の上に形成された絵付け顔料による装飾層と、
窯業製品の被装飾面に所定の温度で貼着し得る熱融着型接着剤で形成された前記装飾層をカバーするカバーコートと、を有することを特徴とする窯業用転写紙。
【請求項２】
前記装飾層よりカバーコートを面方向に大きくしたことを特徴とする請求項１記載の窯業用転写紙。
【請求項３】
前記カバーコートより前記台紙の少なくとも一部を面方向に大きくしてはみ出し部分を設けるようにしたことを特徴とする請求項１又は２に記載の窯業用転写紙。
【請求項４】
請求項１乃至請求項３の何れか一つに記載の窯業用転写紙の前記カバーコートを窯業製品の被装飾面に対向させる工程と、
その窯業用転写紙の前記台紙の裏面側から前記カバーコートの熱融着型接着剤が接着可能な温度で加熱しつつ加圧して当該窯業用転写紙を前記被装飾面に貼着させる工程と、
前記台紙のみを被装飾面から剥がす工程と、
窯業製品を焼成して被装飾面に貼着された前記カバーコートを焼失させ且つ装飾層の絵付け顔料を被装飾面に融着させる工程と、を有することを特徴とする窯業製品の製造方法。
【発明の詳細な説明】
【技術分野】
【０００１】
本発明は、陶磁器、ガラス、琺瑯等の窯業製品に絵付けを施すための窯業用転写紙及びその転写紙を使用した窯業製品の製造方法に関する。
【背景技術】
【０００２】
陶磁器、ガラス、琺瑯等の窯業製品に絵付けを施す方法として、例えば特許文献１に記載されているように窯業用転写紙を窯業製品に貼り付けて焼成することが従来より行われている。
しかして、従来の窯業用転写紙の殆どは、例えばデキストリン等の水溶性の糊層を有する吸水性に優れた台紙と、その台紙の糊層の上面に形成された絵付け顔料による装飾層と、その装飾層をカバーする合成樹脂製のカバーコートと、からなり、使用に際しては、全体を数十秒間水に浸して台紙を剥離させ、装飾層と一体のカバーコートを窯業製品の被装飾面に貼り付けて焼成する、というものである。
【先行技術文献】
【特許文献】
【０００３】
【特許文献１】特開平７−９６６５２号公報
【発明の概要】
【発明が解決しようとする課題】
【０００４】
上記のように従来の窯業用転写紙は、先ず水に浸して台紙を剥がし、装飾層と一体の薄いカバーコートを濡れたまま窯業製品の被装飾面に貼り付けるものであるため、焼成に至るまでの工程が多くて手間が掛かる。したがって多くの作業員を要するが、人手不足が深刻な現在では要員の確保が難しい。
また、使用する水の管理が適切に行われないと、水に不純物が混入するおそれがあり、その不純物が装飾層に付着して不良品の発生につながる場合があった。
【０００５】
本発明は上記に鑑みなされたもので、その目的は、作業性が良く不良品も発生し難い窯業用転写紙及びその転写紙を使用した窯業製品の製造方法を提供することにある。
【課題を解決するための手段】
【０００６】
上記の目的を達成するため本発明は、
少なくとも表面が離型面である台紙と、
その離型面の上に形成された絵付け顔料による装飾層と、
窯業製品の被装飾面に所定の温度で貼着し得る熱融着型接着剤で形成された前記装飾層をカバーするカバーコートと、を有する窯業用転写紙を提供する。
【０００７】
また、請求項２に記載したように、前記装飾層よりカバーコートを面方向に大きくした請求項１記載の窯業用転写紙を提供する。
また、請求項３に記載したように、前記カバーコートより前記台紙の少なくとも一部を面方向に大きくしてはみ出し部分を設けるようにした請求項１又は２に記載の窯業用転写紙を提供する。
【０００８】
また、請求項４に記載したように、
請求項１乃至請求項３の何れか一つに記載の窯業用転写紙の前記カバーコートを窯業製品の被装飾面に対向させる工程と、
その窯業用転写紙の前記台紙の裏面側から前記カバーコートの熱融着型接着剤が接着可能な温度で加熱しつつ加圧して当該窯業用転写紙を前記被装飾面に貼着させる工程と、
前記台紙のみを被装飾面から剥がす工程と、
窯業製品を焼成して被装飾面に貼着された前記カバーコートを焼失させ且つ装飾層の絵付け顔料を被装飾面に融着させる工程と、を有する窯業製品の製造方法を提供する。
【発明の効果】
【０００９】
本発明の請求項１に記載の窯業用転写紙によれば、請求項４に記載の製造方法のように、窯業製品の被装飾面にカバーコートを対向させて台紙の上から適宜加熱・加圧するのみで装飾層を転写できるため、きわめて効率的に装飾的な窯業製品を得ることができる。したがって少ない作業者で多くの窯業製品を製造することができる。しかも窯業用転写紙を水に浸す必要がないため、装飾層に不純物が付着するおそれもなく、したがって不良品の発生率を低く抑えることができる。
【００１０】
また、請求項２に記載の窯業用転写紙によれば、装飾層よりカバーコートを面方向に大きくしたことにより、装飾層の端がカバーコートの端より、つまり装飾層が台紙のほぼ端に位置するデザインであっても台紙の端より内側に位置するため、台紙を剥がすとき爪などで装飾層を傷めるリスクが少ない。
【００１１】
また、請求項３に記載の窯業用転写紙によれば、カバーコートより台紙の少なくとも一部を面方向に大きくしてはみ出し部分を設けるようにしたため、そのはみ出し部分が窯業製品の被装飾面に貼り付かない。したがってそのはみ出し部分を摘んで台紙を簡単に剥がすことができる。
【図面の簡単な説明】
【００１２】
【図１】窯業製品の斜視図である。
【図２】窯業用転写紙のカバーコート側から見た正面図である。
【図３】一部拡大図を含む窯業用転写紙の横断面図である。
【図４】窯業用転写紙の分解斜視図である。
【図５】（ａ）〜（ｄ）は、窯業製品の製造方法を説明する斜視図である。
【図６】窯業用転写紙を窯業製品に貼り付ける状態を示す転写装置の要部縦断面図である。
【図７】図６のＸ−Ｘ線断面図である。
【図８】他の形態を示す窯業用転写紙のカバーコート側から見た正面図である。
【図９】他の形態を示す窯業用転写紙のカバーコート側から見た正面図である。
【発明を実施するための形態】
【００１３】
以下に本発明の実施の形態を図面を参照しつつ説明する。
［窯業製品］
実施形態の窯業製品１は、陶磁器製のマグカップであり、図５に示したように有底筒状のカップ本体１ａと、ほぼＣ字状の把手部１ｂと、からなり、カップ本体１ａの外周面の把手部１ｂを除くほぼ全域に絵付け顔料による適宜な装飾２が施されている。なお、装飾２は、キャラクター等の模様の他、文字や記号等を含み、さらにはカップ本体１ａの地色以外の単色で塗り潰すものをも含む。このようなカップ本体１ａの装飾２は、以下に説明する窯業用転写紙３を使った製造方法によって製造される。
【００１４】
［窯業用転写紙］
窯業用転写紙３は、図４の分解斜視図に示したように、下から順に、台紙４と、その台紙４の上に形成された絵付け顔料による装飾層５と、その装飾層５をカバーするカバーコート６と、から概略構成される。
【００１５】
［台紙］
前記台紙４は図４のように、例えば一般的な転写紙用の紙製又は樹脂製の基材４ａの表面にフッ素樹脂やシリコン樹脂などの離型材４ｂを薄く塗布するか、或は予め離型処理が施されたものを使用する。要は、台紙４の表面が、前記装飾層５やカバーコート６の剥離が容易な離型面（離型構造）になっていればよい。
【００１６】
［装飾層］
前記装飾層５は、従来の転写紙に使用される周知の絵付け顔料で、前記台紙４の離型面（表面）に、前記装飾２の鏡像を例えばスクリーン印刷で描いて乾燥させたものである。
【００１７】
［カバーコート］
カバーコート６は、装飾層５全体をカバーするものであって、窯業製品１の被装飾面１ｃに例えば１８０℃〜１９０℃の温度で貼着し得る熱融着型接着剤、好ましくはアクリル樹脂系のホットメルト型接着剤で形成されており、例えばスクリーン印刷で薄いシート状に塗布されている。カバーコート６はほぼ透明であって、カバーした装飾層５がカバーコート６越しに視認できるようになっている。
【００１８】
［台紙と装飾層とカバーコートの関係］
前記台紙４と装飾層５とカバーコート６の関係は、図２の拡大図に示したように装飾層５よりカバーコート６の方が面方向に大きく、また、カバーコート６より台紙４の短手辺側の両端が面方向に大きくなっていてその部分がカバーコート６に覆われないはみ出し部分７になっている。
【００１９】
［窯業製品の製造方法］
次に、上記の窯業用転写紙３を使用した窯業製品１の製造方法を図５〜図７により説明する。
まず、図１（ａ）に示したように、窯業用転写紙３のカバーコート６を窯業製品１の被装飾面１ｃに向けて対向させ、図１（ｂ）に示したようにカップ本体１ａの把手部１ｂの横に窯業用転写紙３の一方の短手辺を沿わせて位置決めする。実施形態では台紙４の長手方向の長さが、カップ本体１ａの円周から把手部１ｂの幅を引いた寸法にほぼ設定されており、したがって把手部１ｂを基準として位置決めが容易である。なお、台紙４の長手方向の長さがそれより短い場合であっても、装飾層５の模様の台紙４上の位置を対応する装飾２の把手部１ｂからの位置に合わせておくことにより、把手部１ｂを基準として窯業用転写紙３の位置決めが簡単且つ正確に行える。
【００２０】
次に、窯業製品１を図６、図７に示したように、転写装置８の製品取付部９に横向きに装着する。もちろん窯業製品１を先に転写装置８の製品取付部９に装着してから窯業用転写紙３を位置決めしてもよい。
転写装置８の製品取付部９は、回転自在な金属製の支持軸９ａの先端を弾性カバー９ｂで覆ったものであり、この弾性カバー９ｂが、第１に窯業製品１装着時の破損を防止し、第２に窯業製品１に内嵌して支持状態での安定性を高め、第３に窯業製品１が後述する転写ローラ１０で加圧されて前記支持軸９ａとの間に周壁が挟まれたとき、弾性変形による緩衝作用を発揮して窯業製品１の割れを防止する。なお、第３の緩衝作用は、転写ローラ１０側を加圧方向に移動可能にしてクッション性を付与することにより発揮させるようにしてもよい。
【００２１】
次に、図７に示したように、転写装置８の転写ローラ１０を窯業用転写紙３の台紙４の端に当接させてカップ本体１ａに向けて適度に加圧し、さらに転写ローラ１０を図７矢示方向に回転させる。この転写ローラ１０の回転に従動して摩擦車のごとく窯業製品１も図７矢示方向に回転する。転写ローラ１０は、窯業用転写紙３のカバーコート６を構成する熱融着型接着剤が接着可能な温度である例えば１８０℃〜１９０℃に熱せられており、したがって窯業用転写紙３は、窯業製品１が転写ローラ１０に従動してほぼ一回転すると、換言すれば、相対的に転写ローラ１０が図５（ｂ）想像線のように窯業製品１の回りをほぼ一周すると、カバーコート６の熱融着型接着剤の接着作用によって被装飾面１ｃに貼着する。なお、窯業製品１を、窯業用転写紙３を貼着する工程より前に手で作業可能な程度の温度に予熱（転写装置８の製品取付部９を介しての予熱も可。）しておけば、カバーコート６の接着がより円滑に行え且つ窯業製品１の局所に高温が加わることによる生じ得る歪みの影響を抑制することができる。
【００２２】
次に、窯業用転写紙３の台紙４の短手辺側の端を指で摘んで引っ張ると、台紙４の離型面の接合力がカバーコート６の被装飾面１ｃとの接合力より相対的に弱いため、図５（ｃ）のように台紙４のみが被装飾面１ｃから剥がれる。
なお、台紙４の端のはみ出し部分７は、カバーコート６によって覆われていないため被装飾面１ｃに貼り付かない。したがって、そのはみ出し部分７を摘めば台紙４を簡単に引き剥がすことができる。また、もし仮にはみ出し部分７以外の部分の端に爪を立てて台紙４を剥がそうとしたとしても、装飾層５の端がカバーコート６の端より内側に位置するため、爪による傷が装飾層５にまで及ぶリスクは小さい。
【００２３】
次に、図５（ｄ）のように台紙４を剥がした後の窯業製品１を、従来の転写方法で転写した後の窯業製品とほぼ同条件で、例えば陶磁器製品で約８００℃、ガラス製品で約６００℃で焼成する。そうすると窯業用転写紙３のカバーコート６が焼失し且つ装飾層５の絵付け顔料が被装飾面１ｃに融着して図１の窯業製品１が完成する。
【００２４】
以上、本発明を実施の形態について説明したが、もちろん本発明は上記実施形態に限定されるものではない。
例えば、実施形態では窯業用転写紙３の台紙４の形状を自己の中心点に対して点対称な長方形にしたが、図８のように一方のはみ出し部分７の一つのコーナー部分を切除し或は同図想像線のようにはみ出し部分７の一部がタグ状にに残るように四角く切除し或は図示しないが前記コーナー部分に孔を穿つなどの識別切除部１１を設けるようにしてもよい。そうすることにより装飾層５が見えない台紙４の裏側からでもその向きが確実に識別できるため、装飾層５の天地を逆向きに貼り違えるミスが確実に防止できる。しかも識別切除部１１は、装飾層５とは無関係な台紙４のはみ出し部分７に設けられているため、装飾層５に全く影響を与えない。
【００２５】
また、実施形態では、窯業製品１として陶磁器製のマグカップを例示したが、窯業製品は、ガラスや琺瑯等でもよい。また、実施形態では台紙４のはみ出し部分７を台紙４の短手辺側に設けたが、把手部１ｂのないカップなどで被装飾面１ｃが環状に連続する場合に使用する台紙４に対して、長手辺側の双方又は一方にはみ出し部分を設けるようにしてもよい。
【００２６】
また、カバーコート６を構成する熱融着型接着剤も、例示したアクリル樹脂系のホットメルト型接着剤に限定されず、要は加圧しつつ加熱することにより被装飾面１ｃに貼着し且つ後の焼成により焼失する材質のものであればどのようなものであってもよい。
【００２７】
また、実施形態では、カバーコート６が、装飾層５のほぼ全域をカバーする一枚のシート構造になっているが、例えば図９に示したように装飾層５が小さい模様の組合せである場合、各模様の周囲を島状に取り囲むようにして一枚の台紙４に分割形成してもよい。
【符号の説明】
【００２８】
１  …窯業製品
１ｃ  …被装飾面
３  …窯業用転写紙
４  …台紙
５  …装飾層
６  …カバーコート
７  …はみ出し部分
【図１】
2018108905.tif 000003
【図２】
2018108905.tif 000004
【図３】
2018108905.tif 000005
【図４】
2018108905.tif 000006
【図５】
2018108905.tif 000007
【図６】
2018108905.tif 000008
【図７】
2018108905.tif 000009
【図８】
2018108905.tif 000010
【図９】
2018108905.tif 000011